(57)【要約】【課題】低消費電力で所定の全光束を維持し、かつ小形化を達成することが可能な電球形蛍光ランプおよび電球形蛍光ランプを用いた照明器具を提供する。【解決手段】屈曲形成されたバルブ２を有し、一対の端部１０ｂ、１０ｃに電極２０ａ、２０ｂがそれぞれ封装され内部に放電路が形成される発光管１と；この発光管を点灯させる点灯装置４０と；発光管を支持し点灯装置が配置されるカバー部材５０と；カバー部材に支持される口金６０とを具備し；発光管の最大外径をＤ１とし、カバー部材の外径をＤ２としたとき、Ｄ２／Ｄ１が１〜０．７５である電球形蛍光ランプ３０を構成する。【選択図】        図１
2010182487.tif 000002
【特許請求の範囲】
【請求項１】
屈曲形成されたバルブを有し、一対の端部に電極がそれぞれ封装され内部に放電路が形成される発光管と；
この発光管を点灯させる点灯装置と；
発光管を支持し点灯装置が配置されるカバー部材と；
カバー部材に支持される口金とを具備し；
発光管の最大外径をＤ１とし、カバー部材の外径をＤ２としたとき、Ｄ２／Ｄ１が１〜０．７５であることを特徴とする電球形蛍光ランプ。
【請求項２】
少なくとも一部に最大外径が３５〜４０ｍｍの螺旋形部が形成されたバルブを有し、一対の端部に電極がそれぞれ封装され内部に放電路が形成される発光管と；
この発光管を点灯させる点灯装置と；
発光管を支持し点灯装置が配置され、外径が３０〜４０ｍｍをなすカバー部材と；
カバー部材に支持される口金とを具備し；
口金の底部から発光管頂部までの高さが１００〜１１０ｍｍであることを特徴とする電球形蛍光ランプ。
【請求項３】
器具本体と；
器具本体に設けられたソケットと；
ソケットに口金が装着される請求項１または２記載の電球形蛍光ランプと；
を具備することを特徴とする照明器具。
【発明の詳細な説明】
【技術分野】
【０００１】
本発明は、小形で低消費電力の電球形蛍光ランプおよび電球形蛍光ランプを用いた照明器具に関する。
【背景技術】
【０００２】
白熱電球などの一般照明用電球のソケットに装着可能な口金が設けられ、カバー部材の一端面にガラス管バルブを曲成して形成した発光管を支持し、他端面に点灯装置および口金が取付けられた発光管露出形の電球形蛍光ランプが知られている（例えば、特許文献１参照）。また、小形、高出力化を図るために、発光管を螺旋形状に屈曲形成して放電路長の増大を図ったものが知られている（例えば、特許文献２参照）。これら発光管露出形の電球形蛍光ランプは、グローブを有する電球形蛍光ランプに比してより小形に構成されることから、一般白熱電球に置き換えて使用されると共に、例えば特許文献３に示されているような白熱電球は装着することができない発光管露出形の電球形蛍光ランプを専用の光源とした小形の埋込形照明器具等に用いられている。
【先行技術文献】
【特許文献】
【０００３】
【特許文献１】特開２００６−４７２８号公報
【特許文献２】特開２００５−３０２７０２号公報
【特許文献３】特開２００１−８４８０４号公報
【発明の概要】
【発明が解決しようとする課題】
【０００４】
しかしながら、特許文献１に示されるものは、段落番号［００５５］および［００５６］に記載されているように、口金から蛍光ランプ頂部までの高さ方向の寸法が約１１３ｍｍ、カバー体の最大直径部分に対応した幅方向の寸法は約４０ｍｍに形成され、入力電力定格１３Ｗで、蛍光ランプには１２Ｗの電力の高周波で加わり、蛍光ランプからの光出力により全光束が約８１０ｌｍとなっている。これは、白熱電球６０Ｗに相当する電球形蛍光ランプにおける消費電力が約１３Ｗであることが示され、より効果的な省エネを達成するために消費電力の一層の低下が要求されている。また同時に、高さ寸法が約１１３ｍｍであることから、より小形の照明器具、例えば、小形のダウンライトなどに使用した場合には、発光部の先端が反射体の開口部、すなわち器具が埋め込まれた天井面から発光管の先端が突出する虞があり、眩しさを感じさせると共に外観上も好ましくない問題が生じる。
【０００５】
一方、特許文献２に示されるように、発光管を螺旋形状に屈曲形成して放電路長の増大を図ることによって消費電力を低下させることは可能であるが、点灯回路を収容するカバー部分の外径が発光管の外径より大きくなり、小形の照明器具におけるソケット近傍の反射板にカバー部分が引っ掛かりソケットに装着できなくなる。
【０００６】
このため、この種の電球形蛍光ランプ、特に発光管露出形の電球形蛍光ランプにおいては、低消費電力で白熱電球６０Ｗに相当する全光束を維持し、かつ全体の高さ寸法およびカバー部材の外径寸法をより小さくした電球形蛍光ランプを如何にして実現するかが重要な課題になっている。
【０００７】
本発明は、上記課題に対処するためになされたもので、低消費電力で所定の全光束を維持し、かつ小形化を達成することが可能な電球形蛍光ランプおよび電球形蛍光ランプを用いた照明器具を提供することを目的とする。
【課題を解決するための手段】
【０００８】
請求項１に記載の電球形蛍光ランプの発明は、屈曲形成されたバルブを有し、一対の端部に電極がそれぞれ封装され内部に放電路が形成される発光管と；この発光管を点灯させる点灯装置と；発光管を支持し点灯装置が配置されるカバー部材と；カバー部材に支持される口金とを具備し；発光管の最大外径をＤ１とし、カバー部材の外径をＤ２としたとき、Ｄ２／Ｄ１が１〜０．７５であることを特徴とする。本発明によれば、低消費電力で所定の全光束を維持し、かつ小形化を達成することが可能な電球形蛍光ランプが構成される。
【０００９】
本発明において、発光管は、例えば直管状ガラスバルブの略中央を加熱してＵ字状に屈曲したバルブの中間部を、さらに湾曲状または円弧状に形成されたものを複数組み合わせた構造や、螺旋状に形成された構造などが挙げられる。
点灯装置は、例えば、１０ｋＨｚ以上の高周波電力を印加して発光管を点灯させる電子部品を主体としたインバータ回路からなる回路基板で構成していてもよい。
【００１０】
発光管を支持し点灯装置が配置されるカバー部材は、例えば、一端面に発光管を支持し、他端面に点灯装置の回路基板および口金を支持する部材で構成することが好ましいが、発光管を支持する部材と点灯装置の回路基板および口金を支持する部材を別個の部材で構成し、それぞれを一体化して構成するようにしてもよい。また、点灯装置の回路基板はカバー部材に支持され内部に配置されることが好ましいが、口金に支持され一部がカバー部材に配置されるように構成してもよく、構成部品の形態、材質、構成する部材の数等に限定されず、発光管を支持し内部に点灯装置が配置される全ての部材が許容される。
【００１１】
口金は、通常使用されるＥ形と称されるねじ込み形の口金等、一般照明用電球が装着されるソケットに取り付け可能な全ての口金が許容される。
【００１２】
カバー部材の外径は、発光管の螺旋形部の最大外径をＤ１とし、カバー部材の外径をＤ２としたとき、Ｄ２／Ｄ１が１〜０．７５、好ましくは１〜０．８であることが許容される。これは、カバー部材の外径が発光管の最大外径と等しいか、若しくは、ある限界値をもって、カバー部材の外径が発光管の最大外径より小であることを意味している。
【００１３】
請求項２に記載の電球形蛍光ランプの発明は、少なくとも一部に最大外径が３５〜４０ｍｍの螺旋形部が形成されたバルブを有し、一対の端部に電極がそれぞれ封装され内部に放電路が形成される発光管と；この発光管を点灯させる点灯装置と；発光管を支持し点灯装置が配置され、外径が３０〜４０ｍｍをなすカバー部材と；カバー部材に支持される口金とを具備し；口金の底部から発光管頂部までの高さが１００〜１１０ｍｍであることを特徴とする。本発明によれば、例えば１０Ｗ程度の低消費電力で白熱電球６０Ｗに相当する全光束を維持し、かつ小形化を達成することが可能な電球形蛍光ランプが構成される。
【００１４】
本発明において、バルブの螺旋形部は、１本の直管状部材を、その長手方向で略二等分して屈曲し、二等分した直管状部材の略中央を頂部として螺旋状に屈曲して形成した、いわゆる２重螺線形状の放電路を構成し、全体として略螺旋円筒状をなす形状に構成するようにしてもよい。さらに、外観形状を白熱電球のシルエットに近似させるために、径大な螺旋径部を一部に有する略螺旋円錐台形をなす形体でも、さらには略螺旋球状をなすような螺旋形体であってもよい。
【００１５】
また、螺旋形部の最大外径は３５〜４０ｍｍ、好ましくは３８〜４０ｍｍとなしたものが許容される。カバー部材の外径は３０〜４０ｍｍ、好ましくは３２〜４０ｍｍとなしたものが許容される。さらに、口金の底部から発光管頂部までの高さは１００〜１１０ｍｍ、好ましくは１００〜１０４ｍｍとなしたものが許容される。
【００１６】
請求項３に記載の照明器具の発明は、器具本体と；器具本体に設けられたソケットと；ソケットに口金が装着される請求項１または２記載の電球形蛍光ランプと；を具備することを特徴とする。本発明によれば、例えば、１０Ｗ程度の低消費電力で白熱電球６０Ｗに相当する全光束を維持し、かつ小形化を達成することが可能な照明器具が構成される。
【００１７】
本発明において、照明器具は天井埋込形、直付形、吊下形、さらには壁面取付形等が許容され、器具本体に制光体としてグローブ、セード、反射体などが取付けられるものであっても電球形蛍光ランプが露出するものであってもよい。また、器具本体に１個の電球形蛍光ランプを取付けたものに限らず、複数個が配設されるものであってもよい。
【発明の効果】
【００１８】
請求項１に記載の発明によれば、低消費電力で所定の全光束を維持し、かつ小形化を達成することが可能な電球形蛍光ランプを提供することができる。
【００１９】
請求項２に記載の発明によれば、低消費電力で白熱電球６０Ｗに相当する全光束を維持し、かつ小形化を達成することが可能な電球形蛍光ランプを提供することができる。
【００２０】
請求項３に記載の発明によれば、低消費電力で所定の全光束を維持し、かつ小形化を達成することが可能な照明器具を提供することができる。
【図面の簡単な説明】
【００２１】
【図１】本発明の第一実施形態の電球形蛍光ランプを示す正面図。
【図２】同じく電球形蛍光ランプを示す縦断面図。
【図３】同じく電球形蛍光ランプの発光管を示す正面図。
【図４】同じく一般白熱電球を用いる照明器具に本発明の電球形蛍光ランプを装着した状態を示す断面図。
【図５】同じく発光管露出形の電球形蛍光ランプ専用の照明器具に本発明の電球形蛍光ランプを装着した状態を示す図で、（ａ）は垂直方向にランプを装着する器具に本発明の電球形蛍光ランプを装着した状態を示す断面図、（ｂ）は水平方向にランプを装着する器具に本発明の電球形蛍光ランプを装着した状態を示す断面図。
【図６】同じく電球形蛍光ランプの変形例を示す縦断面図。
【発明を実施するための形態】
【００２２】
以下本発明に係る電球形蛍光ランプおよび照明器具の実施形態について説明する。
【実施例１】
【００２３】
本実施例は、少なくとも一部に螺旋形部を有する発光管を用いた白熱電球６０Ｗタイプに相当する電球形蛍光ランプおよびこのランプを使用したダウンライト形の照明器具を構成したもので、以下、発光管の構成から説明する。
【００２４】
発光管１は、図３に示すようにガラス製のバルブ２からなり、螺旋形部１０と、バルブの一対の端部１０ｂ、１０ｃに形成された電極封止部２０、２０´を有する。螺旋形部１０は、管外径が約９ｍｍの１本の直状で円管状の透明な無鉛ガラスからなるバルブを、その長手方向で略二等分して屈曲し、二等分した直管状部材の略中央を頂部１０ａとして、バルブの一対の端部を図示しない成形冶具に巻き付けて螺旋状に湾曲形成して、略螺旋円筒形状の２重螺旋形にモールド成形する。なお、管外径は８〜１０ｍｍ、好ましくは８．５〜９ｍｍとすることが最適であり、８ｍｍ未満であると放電路が細く長くなって、発光管全体の高さ寸法が大となり、小形の照明器具から先端部が突出する虞が生じる。また、１０ｍｍを越えると放電路が太く短くなり、所定の全光束を取り出すための消費電力が多くなってしまう。
【００２５】
バルブの一対の端部１０ｂ、１０ｃは、２重螺旋形状の螺旋終端から、螺旋の旋回軸（ランプ軸ｏ−ｏ）に略平行に頂部１０ａと反対側に向け略直角に折り曲げて一対の直線部を形成している。この直線部を有する一対の端部１０ｂ、１０ｃは、互いに平行に突出され、さらにランプ軸ｏ−ｏに向かって一対の端部１０ｂ、１０ｃが近接するように折り曲げられる。これにより発光管１は、螺旋形部と直線部が組み合わされた構成、換言すれば、少なくとも一部に螺旋形部を有して構成される。
【００２６】
上記のように構成された発光管１は、螺旋形部１０の外径が最大外径となるように形成され、その最大外径Ｄ１の寸法は、３５〜４０ｍｍ、好ましくは３８〜４０ｍｍ、本実施例では約４０ｍｍに構成する。なお、最大外径Ｄ１の寸法を３５ｍｍ未満にすると放電路長が十分に確保できず全光束が不足する。また、４０ｍｍを越えると小形のダウンライト等の照明器具に収容することが困難となる虞が生じる。また、高さ寸法Ｈは、約６８ｍｍに構成する。
【００２７】
上記に構成されたバルブの一対の端部１０ｂ、１０ｃには、一対の電極２０ａ、２０ｂが、それぞれ封装されて電極封止部２０、２０´が形成される。これにより、螺旋形部１０と一対の端部１０ｂ、１０ｃが連続し、一対の端部に電極封止端部２０、２０´を有し、内部に１本の長い放電路が形成される。この放電路の長さは、３５０〜４５０ｍｍ、好ましくは３７０〜４２０ｍｍ、本実施例では４２０ｍｍに構成した。
【００２８】
また、一対の電極２０ａ、２０ｂは、例えばタングステン製のフィラメントコイル電極が使用されており、例えばビーズガラスにより仮止めされた状態で電極封止部２０、２０´にそれぞれ封着される。さらに、バルブ２の内面には、希土類等の蛍光体膜をほぼ全長に亘って形成し、内部にはアルゴンやクリプトン等の放電媒体が封入される。
【００２９】
次に、上記に構成された発光管を用いた電球形蛍光ランプの構成を説明する。以下、発光管を上側、口金を下側として説明する。電球形蛍光ランプ３０は、図１および図２に示すように上記構成の発光管１、発光管を点灯させる点灯装置４０、一端面に発光管１を支持し他端面に点灯装置が配置されるカバー部材５０、カバー部材の他端面に支持される口金６０で構成され、発光管露出形の電球形蛍光ランプとして構成される。
【００３０】
カバー部材５０は、発光管１を支持し点灯装置４０の回路基板４０ａを支持するホルダ５１と、内部に回路基板が配置され口金６０を支持するカバー５２で構成される。ホルダ５１は、略円盤形状をなし、例えば、ポリブチレンテレフタレート（ＰＢＴ）などの白色の耐熱性合成樹脂材料により構成され、円盤の盤面をなす上面に発光管１の支持部となる一対の支持孔５１ａ、５１ａを貫通して形成する。なお、発光管１は、上述のように一対の端部の電極封止端部２０、２０´が螺旋形部１０の最大外径Ｄ１より内側で対向させて配置され、対向内面間の寸法を小さく設定してあるので、一対の支持孔５１ａ、５１ａの間隔寸法は小寸法となすことができホルダ５１は小径のもので構成することができる。
【００３１】
また円盤の下面外周部にリング状の係止段部５１ｂを一体に形成して、下方に開口部を有する空間部５１ｃを形成する。さらに係止段部５１ｂの内面に縦溝からなる一対の基板支持部５１ｄを一体に形成する。ホルダ５１の一対の支持孔５１ａ、５１ａには、発光管の一対の端部１０ｂ、１０ｃの下端部が挿入され、支持孔と発光管各端部のそれぞれの外面周辺にシリコーン樹脂やエポキシ樹脂等の耐熱性の接着剤（図示せず）を塗布して固定される。また、発光管１のリードワイヤー（図示せず）がホルダ５１の空間部５１ｃ内に導出される。
【００３２】
カバー５２は、ホルダ５１と同様に、例えば、ポリブチレンテレフタレート（ＰＢＴ）などの白色の耐熱性合成樹脂材料により両端に開口部を有する円筒状に形成され、上端の開口部を上記ホルダ５１の係止段部５１ｂに嵌め込み係合させて一体化する。また、カバー５２下端開口部の外周面に口金取付段部５２ａを一体に形成する。
【００３３】
上記により、ホルダ５１とカバー５２からなる略円筒状をなすカバー部材５０が構成され、その外径寸法は、発光管１の螺旋形部１０の最大外径をＤ１とし、カバー部材の外径をＤ２としたとき、Ｄ２／Ｄ１が１〜０．７５、好ましくは１〜０．８、本実施例では０．８に設定した。すなわち、外径寸法Ｄ２は３０〜４０ｍｍ、好ましくは３２〜４０ｍｍで、本実施例では約３２ｍｍに構成した。なお、Ｄ２／Ｄ１＝０．７５未満、すなわち、カバー部材５０の外径Ｄ２が３０ｍｍ未満であると、カバー部材５０が小さくなり発光管１を支持することが困難となる。特に、発光管１の一対の端部１０ｂ、１０ｃが極めて接近し、電極部分の温度が高くなって電極２０ａ、２０ｂの劣化が生じ易くなる。また、点灯装置の回路基板が収容できなくなる虞が生じる。一方、Ｄ２／Ｄ１が１を越えると、すなわち、カバー部材５０の外径が螺旋形部１０の最大外径をＤ１と等しい寸法である４０ｍｍを越えると、小形のダウンライト等の照明器具に収容することが困難となる虞が生じる。
【００３４】
点灯装置４０は、回路基板４０ａを備え、回路基板に１０ｋＨｚ以上の高周波電力を印加して発光管１を点灯させるためのインバータ等の点灯回路を構成する電子部品４０ｂが実装されている。回路基板４０ａは短冊状の縦に長い形状に構成して、その上端部がホルダ５１の内面に形成された縦溝からなる一対の基板支持部５１ｄ内に、回路基板４０ａを縦方向にして幅方向両側縁部を嵌入させて固定する。これにより回路基板４０ａの下端部がカバー５２内から後述する口金６０のシェル内に収容され配置される。この際、回路基板４０ａはホルダ５１、カバー５２の中心軸線ｏ−ｏに対して片側に片寄って配置される（図２）。なお、回路基板４０ａには、片面または両面に回路パターンが形成され、その実装面には、小形の電解コンデンサ等のリード部品やトランジスタ等のチップ部品等、点灯回路を構成するための複数の小形の電子部品４０ｂが実装され、一部が口金６０のシェル内に収容されている。
【００３５】
口金６０は、エジソンタイプのＥ２６形などで構成し、ねじ山を備えた導電性の金属からなる筒状のシェル６０ａと、このシェルの下端側の頂部に絶縁部６０ｂを介して設けられたアイレット６０ｃを備えている。シェル６０ａの上端側の開口部をカバー５２の口金取付段部５２ａの外周面に被せてシリコーン樹脂やエポキシ樹脂等の耐熱性の接着剤、または、かしめなどの手段により固定する。
【００３６】
次に、上記に構成された電球形蛍光ランプ３０の組み立て手順につき説明する。まず、発光管１をカバー部材５０を構成するホルダ５１に支持する。すなわち、ホルダ５１の一対の支持孔５１ａ、５１ａに、発光管の一対の端部１０ｂ、１０ｃの下端部を挿入し、ホルダの内側から接着剤を注入して発光管の一対の端部をホルダに固定する。
【００３７】
次に、ホルダ５１の内側に引き出された発光管のアウターワイヤをカバー５２内に通し、その先端部を回路基板４０ａの出力端子（図示せず）に接続する。さらに、回路基板４０ａをホルダ５１の基板支持部５１ｄに、回路基板を縦方向にして幅方向両側縁部を嵌入させて固定する。この際、回路基板４０ａと基板支持部５１ｄの溝にシリコーン樹脂やエポキシ樹脂等の耐熱性の接着剤を塗布して固着するようにしてもよい。
【００３８】
上記により一端面に発光管１を支持し、他端面に回路基板４０ａを支持したホルダ５１に対して、その回路基板４０ａを内部に収容するようにしてカバー５２を挿入し、上端の開口部をホルダ５１の係止段部５１ｂに嵌め込み係合させて一体化する。この際、ホルダ５１の係止段部５１ｂとカバー５２の開口部にシリコーン樹脂やエポキシ樹脂等の耐熱性の接着剤を塗布し固着するようにしてもよい。
【００３９】
次に、回路基板４０ａの入力端子に接続されている図示しない一方のリード線を口金６０のアイレット６０ｃに接続し、他方のリード線をカバー５２の下端開口部の外周面に形成された口金取付段部５２ａに配置する。この状態で、シェル６０ａの開口部をカバー５２の口金取付段部５２ａに嵌合してリード線を挟み込み、さらにシェル６０ａの開口部外周面からカバー５２の下端開口部の外周面に対してかしめを行い固定し、同時に他方のリード線を導電性のシェル６０ａに電気的に接続する。
【００４０】
上記により構成された発光管露出形の電球形蛍光ランプ３０は、図１に示すように、口金６０の底部から発光管１の頂部１０ａまでの高さ寸法Ｈ１が約１０４ｍｍ、発光管の最大外径Ｄ１が約４０ｍｍ、カバー部材５０の外径Ｄ２が約３２ｍｍで、回路損出を含めた定格消費電力が約１０Ｗで全光束が約８１０ｌｍ（電球色）以上となり、６０Ｗ相当の一般白熱電球に置き換えて使用することができる。また、外観形状は小形に構成され、特にカバー部材５０の外径Ｄ２が一般白熱電球の根元部に近似、または同一形状にまで小形に構成されている。また、発光管１の高さ方向の露出部の高さ寸法Ｈ２は約６０ｍｍ、カバー部材５０の高さ寸法Ｈ３は約２０ｍｍに構成されている（図２）。
【００４１】
なお、高さ寸法Ｈ１は、１００〜１１０ｍｍ、好ましくは１００〜１０４ｍｍ、本実施例では約１０４ｍｍに構成した。高さ寸法Ｈ１は、１００ｍｍ未満であると発光管１の放電路長を十分にとることができず、所定の全光束を維持することが困難となる。また１１０ｍｍを越えると小形のダウンライト等の照明器具に収容することが困難となる虞が生じる。
【００４２】
上記に構成した発光管露出形の電球形蛍光ランプ３０は、例えば、図４に示すように、ダウンライト形の照明器具７０に使用することができる。この照明器具は、器具本体７１を有し、器具本体内に６０Ｗの一般白熱電球が装着されるＥ２６形口金対応のソケット７２および反射板７３が取り付けられており、このソケット７２に取り付けられている６０Ｗの白熱電球に代えて、本発明の１０Ｗの電球形蛍光ランプ３０を装着することができる。
【００４３】
白熱電球に代えて、電球形蛍光ランプ３０を装着しても本実施例の電球形蛍光ランプは、上記のように一般白熱電球の根元部と近似、または同一形状にまで小型化されているので、根元部が反射板７３に引っ掛かることがなく確実に装着され、また器具の配光を一般白熱電球の配光に近似または同一となすことができ、照明器具内に配置されたソケット７２近傍の反射体７３への光の照射量が充分に確保され、６０Ｗの白熱電球用として設計された反射体７３の光学設計通りの器具特性を１０Ｗの電球形蛍光ランプによって得ることができる。
【００４４】
また、図５に示すように、本実施例の電球形蛍光ランプ３０は、発光管露出形の電球形蛍光ランプを専用の光源とした小形の照明器具にも適用することができる。すなわち、図５（ａ）に示す照明器具８０は、器具本体８１の高さ寸法ｈ１が約１３３ｍｍ、底部の反射板８２の開口部８２ａを含む直径寸法ｄ１が約φ９０ｍｍ、上部の直径寸法ｄ２が約６７ｍｍに構成されたＥ２６形の口金が装着可能なソケット８３を有し、白熱電球は装着することができない電球形蛍光ランプを専用の光源とした小形のダウンライトで、特許文献１に示されるような発光管露出形の電球形蛍光ランプが装着されるものである。
【００４５】
因みに、従来の発光管露出形の電球形蛍光ランプは、特許文献１に示されるように、口金から蛍光ランプ頂部までの高さ寸法が約１１３ｍｍ、カバー体の最大直径部分の対応した幅寸法が約４０ｍｍで、入力電力定格１３Ｗで、蛍光ランプには１２Ｗの電力の高周波で加わり、蛍光ランプからの光出力により全光束が約８１０ｌｍとなっている。
【００４６】
これに対し、本実施例の電球形蛍光ランプ３０は、上述したように高さ寸法Ｈ１が約１０４ｍｍ、発光管の最大外径Ｄ１が約４０ｍｍ、カバー部材５０の外径寸法Ｄ２が約３２ｍｍに構成されており、高さ寸法およびカバー部材の外径はいずれも従来の発光管露出形の電球形蛍光ランプよりも小さく構成されており、上述した電球形蛍光ランプ専用の照明器具８０にも問題なく装着することができる。しかも、従来よりも低い１０Ｗの低消費電力で従来と同等の約８１０ｌｍの全光束を得ることができ、より省エネ形の電球形蛍光ランプ専用の小形の照明器具を構成することができる。
【００４７】
また、本実施例の電球形蛍光ランプ３０は、電球形蛍光ランプを水平方向に装着する電球形蛍光ランプ専用の小形の照明器具にも適用することができる。すなわち、図５（ｂ）に示す照明器具８５は、器具本体８６の高さ寸法ｈ２が約７８ｍｍ、底部の反射板８７の開口部８７ａを含む直径寸法ｄ１が約φ１４５ｍｍ、上部のソケットカバー８８の器具本体中心からの長さ寸法ｄ２が約１１８ｍｍに構成されたＥ２６形の口金が装着可能なソケット８８ａを有する電球形蛍光ランプを専用の光源とした小形のダウンライトで、特許文献１に示されるような発光管露出形の電球形蛍光ランプが装着されるものである。
【００４８】
これに対しても上記図５（ａ）で説明したと同様に、本実施例の電球形蛍光ランプ３０は、従来の発光管露出形の電球形蛍光ランプよりも小さく構成されており電球形蛍光ランプ専用の照明器具８５にも問題なく装着することができる。しかも、従来よりも低い１０Ｗの低消費電力で従来と同等の約８１０ｌｍの全光束を得ることができ、より省エネ形の電球形蛍光ランプ専用の小形の照明器具を構成することができる。
【００４９】
以上のように、本実施例の電球形蛍光ランプ３０によれば、１０Ｗの低消費電力で６０Ｗの一般白熱電球に相当する約８１０ｌｍの全光束を維持し、かつ、カバー部材を一般白熱電球の根元部に近似、または同一形状にし、さらに全体の高さ寸法も低い小形化を達成した電球形蛍光ランプを提供することができる。これにより、一般白熱電球を光源とする照明器具において、白熱電球に代替可能な汎用性を有する電球形蛍光ランプを提供することができると共に、電球形蛍光ランプ専用の小形の照明器具への装着も可能となり、照明器具への適用率を一層高めることができ、より一層省電力、高効率の照明環境を提供することができる。
【００５０】
また、点灯装置４０の回路基板４０ａをホルダ５１の基板支持部５１ｄに、回路基板を縦方向にして幅方向両側縁部を嵌入させて固定するように構成したことにより、回路基板を短冊状の縦に長い形状に構成し、かつ小形の電子部品を採用することにより回路基板４０ａおよび電子部品４０ｂをカバー５２および口金６０内にも配置させることができ、ホルダ５１、すなわち、カバー部材５０の直径方向の寸法を大きくすることなく支持して収容できる。これにより、一層効果的にカバー部材５０の外径Ｄ２を目的とするＤ２／Ｄ１が１〜０．７５になるような寸法に構成することができる。
【００５１】
本実施例において、白熱電球６０Ｗタイプに相当する電球形蛍光ランプを構成したが、例えば、４０Ｗ等に相当するより低ワットの電球形蛍光ランプを構成してもよい。若しくは、１００Ｗ相当の電球形蛍光ランプを構成するようにしてもよい。
【００５２】
さらに、発光管露出形の電球形蛍光ランプを構成したが、グローブを装着した電球形蛍光ランプを構成してもよい。この場合、図６に示すように、外径寸法を大きくしないＴ形と称される円筒状のグローブ９０（図中一点鎖線）を設けることにより、グローブ９０の外径およびカバー部材５０の外径Ｄ２を小さくすることができ、図５（ａ）（ｂ）に示すような発光管露出形の電球形蛍光ランプ専用の小形の照明器具にも装着することが可能となる。グローブ９０は、ガラス材料や透光性のポリカーボネートなどの材料を用いて構成してもよい。
【００５３】
また、カバー部材５０をホルダ５１とカバー５２の２個の部品でそれぞれ別体に構成したが、ＰＢＴ等の合成樹脂によりそれぞれを一体に形成して１個の部品として構成してもよい。以上、本発明の好適な実施形態を説明したが、本発明は上述の実施例に限定されることなく、本発明の要旨を逸脱しない範囲内において、種々の設計変更を行うことができる。
【符号の説明】
【００５４】
１：発光管
２：バルブ
１０ｂ、１０ｃ：端部
２０ａ、２０ｂ：電極
３０：電球形蛍光ランプ
４０：点灯装置
５０：カバー部材
６０：口金
Ｄ１：発光管の最大外径   
Ｄ２：カバー部材の外径
【図１】
2010182487.tif 000003
【図２】
2010182487.tif 000004
【図３】
2010182487.tif 000005
【図４】
2010182487.tif 000006
【図５】
2010182487.tif 000007
【図６】
2010182487.tif 000008